(57)【特許請求の範囲】
【請求項１】
互いに沿うように延びる側板部の対と、
互いに沿うように延び、かつ、一方が前記側板部の対の一端において前記側板部の対に交差し他方が前記側板部の対の他端において前記側板部の対に交差するように延びる端板部の対とを備える外殻体であって、
前記外殻体が、
底板部と、
前記底板部に重なる状態と前記底板部から立つ状態とが可能となるように前記側板部の対を前記底板部に連結する側板連結部と、
前記側板部が前記底板部に重なるとき前記底板部に沿って寝る状態と前記側板部が前記底板部から立つとき前記底板部の端で立つ状態とが可能となるように前記端板部を前記側板部に連結する端板連結部と、
前記側板部が前記底板部から立ち前記端板部が前記底板部の端で立つときに前記側板部および前記端板部とは反対方向に立つように前記側板部および前記端板部の少なくとも一方に連結される連結脚部とをさらに備え、
前記連結脚部が、
前記側板部に連なり、前記側板部に沿って延び、前記側板部が前記底板部に重なる状態のときに前記底板部の縁から出ており、かつ、前記側板部が前記底板部から立ち前記端板部が前記底板部の端で立つときに前記側板部および前記端板部とは反対方向に立つ板状の側板脚部と、
前記端板部に連なり、前記端板部に沿って延び、前記端板部が前記底板部に沿って寝る状態のときに前記側板部が重なる面の裏側において前記底板部に重なり、かつ、前記側板部が前記底板部から立ち前記端板部が前記底板部の端で立つときに前記側板部および前記端板部とは反対方向に立つ板状の端板脚部とを有していることを特徴とする外殻体。
【請求項２】
前記端板脚部が、前記側板部が前記底板部から立ち前記端板部が前記底板部の端で立つときに前記側板脚部に接することを特徴とする請求項１に記載の外殻体。
【請求項３】
薄いプラスチック又は紙からなる一体成形の容器本体と、
前記容器本体が収容される外殻体とを備え、
前記容器本体が、
１又は複数の食品収納用凹部と、
上方外縁と、
前記容器本体の少なくとも一方の対角線上に位置する隅部のうち前記上方外縁の内側に設けられる突起とを有しており、
前記外殻体が、
互いに沿うように延びる側板部の対と、
互いに沿うように延び、かつ、一方が前記側板部の対の一端において前記側板部の対に交差し他方が前記側板部の対の他端において前記側板部の対に交差するように延びる端板部の対とを有している包装用容器であって、
前記外殻体が、
底板部と、
前記底板部に重なる状態と前記底板部から立つ状態とが可能となるように前記側板部の対を前記底板部に連結する側板連結部と、
前記側板連結部が前記底板部に重なるとき前記底板部に沿って寝る状態と前記側板連結部が前記底板部から立つとき前記底板部の端で立つ状態とが可能となるように前記端板部を前記側板部に連結する端板連結部と、
前記側板部が前記底板部から立ち前記端板部が前記底板部の端で立つときに前記側板部および前記端板部とは反対方向に立つように前記側板部および前記端板部の少なくとも一方に連結される連結脚部とをさらに備え、
前記連結脚部が、
前記側板部に連なり、前記側板部に沿って延び、前記側板部が前記底板部に重なる状態のときに前記底板部の縁から出ており、かつ、前記側板部が前記底板部から立ち前記端板部が前記底板部の端で立つときに前記側板部および前記端板部とは反対方向に立つ板状の側板脚部と、
前記端板部に連なり、前記端板部に沿って延び、前記端板部が前記底板部に沿って寝る状態のときに前記側板部が重なる面の裏側において前記底板部に重なり、かつ、前記側板部が前記底板部から立ち前記端板部が前記底板部の端で立つときに前記側板部および前記端板部とは反対方向に立つ板状の端板脚部とを有しており、
前記上方外縁が、前記側板部の対および前記端板部の対の少なくとも一方に載せられ、
前記端板脚部が、前記側板部が前記底板部から立ち前記端板部が前記底板部の端で立つときに前記容器本体の前記突起が設けられている前記隅部において前記側板脚部に接することを特徴とする包装用容器。
【発明の詳細な説明】
【技術分野】
【０００１】
本発明は外殻体および包装用容器に関する。
【背景技術】
【０００２】
特許文献１は食品包装用容器を開示する。特許文献１に開示された食品包装用容器は、成形底板と外殻体とからなる。成形底板は、立ち上がりと垂下部とを備える。垂下部は、その立ち上がりの上端に配置される。垂下部は、外殻体の上端面を抱き込むように曲げられている。特許文献１に開示された食品包装用容器は、折り畳み状態から広げられた外殻体の内側に成形底板が落とし込まれ、かつ、成形底板の上端が外殻体の上端面に嵌合されることで組み立てられる。その成形底板にはその立ち上がりの上方内面に係合凸部が設けられている。その外殻体には、その内面上方に、凹部が設けられている。その凹部は成形底板の係合凸部と係合する。さらに、外殻体の外面上方には、成形底板の立ち上がりの上端に設けた垂下部が入り込む切り欠けが形成されている。
【０００３】
特許文献１に開示された食品包装用容器は、食品収納現場で簡単に組立てできる。これにより、嵩張るにも関わらず完成した容器を予め多く準備しておく必要がなくなる。その結果、食品収納現場での有効利用空間を拡大することができる。
【先行技術文献】
【特許文献】
【０００４】
【特許文献１】特開平１０−７７０３２号公報
【発明の概要】
【発明が解決しようとする課題】
【０００５】
特許文献１に開示された食品包装用容器には、これらに食品が収納された後にはこれらを積重ねるとこれらに収容された食品が変形する可能性があるという問題点がある。本発明はこのような課題を解決するものである。本発明は、未使用時に大きな空間を占めることが予防され、物の上に載せられたときその物が変形するリスクが軽減される外殻体および包装用容器を提供することにある。
【課題を解決するための手段】
【０００６】
図面を参照し本発明の外殻体および包装用容器を説明する。なおこの欄で図中の符号を使用したのは発明の内容の理解を助けるためである。この欄で図中の符号を使用することには発明の内容を図示した範囲に限定する意図がない。
【０００７】
上述された目的を達成するために、本発明のある局面に従うと、外殻体２２は、側板部７０の対と、端板部７２の対とを備える。側板部７０の対は、互いに沿うように延びる。端板部７２の対は、互いに沿うように延びる。端板部７２の対は、一方が側板部７０の対の一端において側板部７０の対に交差し他方が側板部７０の対の他端において側板部７０の対に交差するように延びる。外殻体２２は、底板部７４と、側板連結部７６と、端板連結部７８と、連結脚部８０とをさらに備えている。側板連結部７６は、底板部７４に重なる状態と底板部７４から立つ状態とが可能となるように側板部７０の対を底板部７４に連結する。端板連結部７８は、側板部７０の対が底板部７４に重なるとき底板部７４に沿って寝る状態と側板部７０の対が底板部７４から立つとき底板部７４の端で立つ状態とが可能となるように端板部７２を側板部７０に連結する。連結脚部８０は、側板部７０が底板部７４から立ち端板部７２が底板部７４の端で立つときに側板部７０および端板部７２とは反対方向に立つように側板部７０および端板部７２の少なくとも一方に連結される。
【０００８】
外殻体２２が側板連結部７６と端板連結部７８とを備えているので、側板部７０の対が底板部７４から立つとき端板部７２の対は底板部７４の端で立つ状態となる。これにより、外殻体２２に容器本体２０を収容することが可能となる。あわせて、側板部７０の対と端板部７２の対とが形成する構造体を底板部７４が補強する。これにより、その構造体の変形が予防される。また、外殻体２２が側板連結部７６と端板連結部７８とを備えているので、側板部７０の対が底板部７４に重なるとき端板部７２の対は底板部７４に沿って寝る状態となる。その結果、未使用時に外殻体２２が大きな空間を占めることは予防される。連結脚部８０は、側板部７０が底板部７４から立ち端板部７２が底板部７４の端で立つときに側板部７０および端板部７２とは反対方向に立つように側板部７０および端板部７２の少なくとも一方に連結される。これにより、連結脚部８０は、物の上に載せられたとき底板部７４とその物との間に間隙を形成することとなる。側板部７０の対と端板部７２の対とが形成する構造体の変形が予防され、かつ、間隙が形成されるので、その物が変形するリスクが軽減される。その結果、物の上に載せられたときその物が変形するリスクは軽減される。
【０００９】
また、上述された連結脚部８０が、板状の側板脚部１４０と、板状の端板脚部１４２とを有している。側板脚部１４０は側板部７０に連なる。側板脚部１４０は側板部７０に沿って延びる。側板脚部１４０は側板部７０が底板部７４に重なる状態のときに底板部７４の縁から出ている。側板脚部１４０は側板部７０が底板部７４から立ち端板部７２が底板部７４の端で立つときに側板部７０および端板部７２とは反対方向に立つ。端板脚部１４２は端板部７２に連なる。端板脚部１４２は端板部７２に沿って延びる。端板脚部１４２は、端板部７２が底板部７４に沿って寝る状態のときに側板部７０が重なる面の裏側において底板部７４に重なる。端板脚部１４２は、側板部７０が底板部７４から立ち端板部７２が底板部７４の端で立つときに側板部７０および端板部７２とは反対方向に立つ。
【００１０】
板状の側板脚部１４０が立つ。側板脚部１４０は側板部７０に沿って延びる。板状の端板脚部１４２が立つ。端板脚部１４２は端板部７２に沿って延びる。これにより、これらの一方がない場合に比べて、底板部７４が撓み難くなる。底板部７４が撓み難いので、物の上に載せられたときその物と底板部７４とが接し難くなる。その物と底板部７４とが接し難いので、その物が変形するリスクが軽減される。その結果、物の上に載せられたときその物が変形するリスクは軽減される。
【００１１】
もしくは、上述された端板脚部１４２が、側板部７０が底板部７４から立ち端板部７２が底板部７４の端で立つときに側板脚部１４０に接することが望ましい。
【００１２】
側板部７０が底板部７４から立ち端板部７２が底板部７４の端で立つときに端板脚部１４２が側板脚部１４０に接すると、端板脚部１４２が側板脚部１４０に接する個所においてこれらの動きが制限されることにより、互いに交差する複数の方向について外殻体２２の動きが制限される。これにより、積重ねられた外殻体２２が崩れ難くなる。
【００１３】
本発明の他の局面に従うと、包装用容器１０は、一体成形の容器本体２０と、外殻体２２とを備える。容器本体２０は、薄いプラスチック又は紙からなる。外殻体２２に容器本体２０が収容される。容器本体２０が、１又は複数の食品収納用凹部４０，４２と、上方外縁４４と、突起４６，４８とを有している。突起４６，４８は、容器本体２０の少なくとも一方の対角線上に位置する隅部のうち上方外縁４４の内側に設けられる。外殻体２２は、側板部７０の対と、端板部７２の対とを備える。側板部７０の対は、互いに沿うように延びる。端板部７２の対は、互いに沿うように延びる。端板部７２の対は、一方が側板部７０の対の一端において側板部７０の対に交差し他方が側板部７０の対の他端において側板部７０の対に交差するように延びる。外殻体２２は、底板部７４と、側板連結部７６と、端板連結部７８と、連結脚部８０とをさらに備えている。側板連結部７６は、底板部７４に重なる状態と底板部７４から立つ状態とが可能となるように側板部７０の対を底板部７４に連結する。端板連結部７８は、側板部７０の対が底板部７４に重なるとき底板部７４に沿って寝る状態と側板部７０の対が底板部７４から立つとき底板部７４の端で立つ状態とが可能となるように端板部７２を側板部７０に連結する。連結脚部８０は、側板部７０が底板部７４から立ち端板部７２が底板部７４の端で立つときに側板部７０および端板部７２とは反対方向に立つように側板部７０および端板部７２の少なくとも一方に連結される。上述された連結脚部８０が、板状の側板脚部１４０と、板状の端板脚部１４２とを有している。側板脚部１４０は側板部７０に連なる。側板脚部１４０は側板部７０に沿って延びる。側板脚部１４０は側板部７０が底板部７４に重なる状態のときに底板部７４の縁から出ている。側板脚部１４０は側板部７０が底板部７４から立ち端板部７２が底板部７４の端で立つときに側板部７０および端板部７２とは反対方向に立つ。端板脚部１４２は端板部７２に連なる。端板脚部１４２は端板部７２に沿って延びる。端板脚部１４２は、端板部７２が底板部７４に沿って寝る状態のときに側板部７０が重なる面の裏側において底板部７４に重なる。端板脚部１４２は、側板部７０が底板部７４から立ち端板部７２が底板部７４の端で立つときに側板部７０および端板部７２とは反対方向に立つ。上方
外縁４４が、側板部７０の対および端板部７２の対の少なくとも一方に載せられる。上述された端板脚部１４２が、側板部７０が底板部７４から立ち端板部７２が底板部７４の端で立つときに容器本体２０の突起４６，４８が設けられている隅部において側板脚部１４０に接する。
【００１４】
外殻体２２が側板連結部７６と端板連結部７８とを備えているので、側板部７０の対が底板部７４から立つとき端板部７２の対は底板部７４の端で立つ状態となる。これにより、外殻体２２に容器本体２０を収容することが可能となる。あわせて、側板部７０の対と端板部７２の対とが形成する構造体を底板部７４が補強する。また、外殻体２２が側板連結部７６と端板連結部７８とを備えているので、側板部７０の対が底板部７４に重なるとき端板部７２の対は底板部７４に沿って寝る状態となる。その結果、外殻体２２に容器本体２０が収容されていない期間に外殻体２２が大きな空間を占めることは予防される。連結脚部８０は、側板部７０が底板部７４から立ち端板部７２が底板部７４の端で立つときに側板部７０および端板部７２とは反対方向に立つように側板部７０および端板部７２の少なくとも一方に連結される。これにより、連結脚部８０は、他の包装用容器１０の上に載せられたとき底板部７４とその包装用容器１０に収容された物との間に間隙を形成することとなる。間隙が形成されるので、その物が変形するリスクが軽減される。また、連結脚部８０のうち板状の側板脚部１４０が立つ。側板脚部１４０は側板部７０に沿って延びる。連結脚部８０のうち板状の端板脚部１４２が立つ。端板脚部１４２は端板部７２に沿って延びる。これにより、これらの一方がない場合に比べて、底板部７４が撓み難くなる。底板部７４が撓み難いので、物の上に載せられたときその物と底板部７４とが接し難くなる。さらに、容器本体２０が有する突起４６，４８が、容器本体２０の少なくとも一方の対角線上に位置する隅部のうち上方外縁４４の内側に設けられる。側板部７０が底板部７４から立ち端板部７２が底板部７４の端で立つときに容器本体２０の突起４６，４８が設けられている隅部において端板脚部１４２が側板脚部１４０に接する。これにより、複数の包装用容器１０が積重ねられる際にそれらのうちのある包装用容器１０の突起４６，４８がその上に積重ねられる他の包装用容器１０の端板脚部１４２と側板脚部１４０とに接することとなる。その突起４６，４８がその端板脚部１４２と側板脚部１４０とに接すると、その端板脚部１４２と側板脚部１４０とはその突起４６，４８に動きを制限されることとなる。動きが制限されるので、後者の包装用容器１０が前者の包装用容器１０の上
からずり落ちる可能性が低くなる。その結果、積重ねられたときずり落ちるリスクは軽減される。
【発明の効果】
【００１５】
本発明によれば、未使用時に大きな空間を占めることが予防され、物の上に載せられたときその物が変形するリスクが軽減される。
【図面の簡単な説明】
【００１６】
【図１】本発明のある実施形態にかかる食品包装用容器の斜視図である。
【図２】本発明のある実施形態にかかる外殻体の斜視図である。
【図３】本発明のある実施形態にかかる外殻体の折り畳み状況が示される図である。
【図４】本発明のある実施形態にかかる側板部と端板部との接続状況が示される図である。
【図５】本発明のある実施形態にかかる外殻体のうち連結脚部付近が示される図である。
【図６】本発明のある実施形態にかかる外殻体のうち端板部以外の部分の展開図である。
【発明を実施するための形態】
【００１７】
以下、図面を参照しつつ、本発明の実施形態について説明する。以下の説明では、同一の部品には同一の符号を付してある。それらの名称および機能も同一である。したがって、それらについての詳細な説明は繰返さない。
【００１８】
［構造の説明］
図１は、本実施形態にかかる食品包装用容器１０の斜視図である。図１に基づいて、本実施形態にかかる食品包装用容器１０の構成が説明される。本実施形態にかかる食品包装用容器１０は、一体成形の容器本体２０と、外殻体２２とを備える。
【００１９】
本実施形態の場合、容器本体２０は、薄いプラスチックからなる。外殻体２２に容器本体２０が収容される。
【００２０】
本実施形態にかかる容器本体２０は、大きな食品収納用凹部４０と、小さな食品収納用凹部４２と、上方外縁４４と、大きな突起４６と、小さな突起４８と、図示されない突条とを有している。大きな食品収納用凹部４０と小さな食品収納用凹部４２とに食品が収納される。上方外縁４４は、大きな食品収納用凹部４０および小さな食品収納用凹部４２の縁に沿うように設けられる。上方外縁４４は、大きな食品収納用凹部４０の底および小さな食品収納用凹部４２の底から見てそれらの縁以上の高さとなるように設けられる。大きな突起４６は、容器本体２０の一方の対角線上に位置する隅部のうち上方外縁４４の内側に設けられる。小さな突起４８は、容器本体２０の他方の対角線上に位置する隅部のうち上方外縁４４の内側に設けられる。大きな突起４６および小さな突起４８は、本実施形態にかかる複数の食品包装用容器１０を積み重ねた際、それらのうちのいずれかの食品包装用容器１０の外殻体２２の下部の内側に嵌って、上下の食品包装用容器１０がずれるのを抑える機能を有している。突条は、大きな食品収納用凹部４０および小さな食品収納用凹部４２の外周に設けられる。突条は、上方外縁４４に沿うように延びる。本実施形態の場合、かかる容器本体２０として周知のものが用いられ得る。そのような容器本体２０のうち特に好適なものの例には、株式会社アクタが販売するワン折（登録商標）に用いられる容器本体がある。
【００２１】
図２は、本実施形態にかかる外殻体２２の斜視図である。図３は、本実施形態にかかる外殻体２２の折り畳み状況が示される図である。図２および図３に基づいて、本実施形態の外殻体２２の構成が説明される。本実施形態の場合、外殻体２２は、木製である。本実施形態の場合、外殻体２２は図２に示された形態になることと図３に示された形態になることとが可能である。
【００２２】
本実施形態にかかる外殻体２２は、側板部７０の対と、端板部７２の対と、底板部７４と、側板連結部７６の対と、端板連結部７８の組と、連結脚部８０とを備えている。
【００２３】
本実施形態の場合、側板部７０は板状の部分である。側板部７０の対は、互いに沿うように延びる。側板部７０は、側板本体１００と、本体係合部１０２とを有する。
【００２４】
側板本体１００は外殻体２２の側壁の一部となる。本体係合部１０２は、側板本体１００の内側に設けられる。本体係合部１０２は、側板本体１００の上縁に沿って延びる。上述された容器本体２０の突条は、この本体係合部１０２に係合する。
【００２５】
本実施形態の場合、端板部７２は板状の部分である。端板部７２の対は、互いに沿うように延びる。端板部７２の対の一方は側板部７０の対の一端において側板部７０の対に交差するように延びる。端板部７２の対の他方は側板部７０の対の他端において側板部７０の対に交差するように延びる。
【００２６】
底板部７４は、板状の部分である。本実施形態の場合、底板部７４は、四隅が切り欠かれた矩形の部分でもある。
【００２７】
本実施形態の場合、側板連結部７６の対は、底板部７４の長手方向の両脇に設けられる。本実施形態の場合、側板連結部７６の対は、底板部７４の長手方向に沿って延びる。側板連結部７６の対の一方は、側板部７０の対の一方を揺動可能となるように底板部７４に連結する。側板連結部７６の対の他方は、側板部７０の対の他方を揺動可能となるように底板部７４に連結する。これにより、側板連結部７６の対は、底板部７４に重なる状態と底板部７４から立つ状態とが可能となるように底板部７４に連結されることとなる。
【００２８】
本実施形態にかかる外殻体２２は、４個の端板連結部７８を有する。端板連結部７８は、端板部７２を側板部７０に連結する。これにより、端板部７２の対は側板部７０の対に連結されることとなる。端板部７２の対が４個の端板連結部７８によって側板部７０の対に連結されることにより、図２に示されるように、側板部７０の対が底板部７４から立つとき端板部７２の対が底板部７４の端で立つ状態が可能となる。端板部７２の対が４個の端板連結部７８によって側板部７０の対に連結されることにより、図３に示されるように、側板部７０の対が底板部７４に重なるとき端板部７２の対が底板部７４に沿って寝る状態が可能となる。
【００２９】
図２に示されるように、本実施形態の場合、連結脚部８０は、側板部７０が底板部７４から立ち端板部７２が底板部７４の端で立つときに側板部７０および端板部７２とは反対方向に立つように側板部７０および端板部７２に連結される。
【００３０】
図４は、本実施形態にかかる側板部７０と端板部７２との接続状況が示される図である。図４に基づいて、本実施形態にかかる端板連結部７８の構成が説明される。本実施形態にかかる端板連結部７８は、リンク部１２０と、側板側関節部１２２と、端板側関節部１２４と、端板接着部１２６とを有する。
【００３１】
リンク部１２０は、側板側関節部１２２と端板側関節部１２４とに接続される。本実施形態の場合、リンク部１２０は側板部７０の端のある箇所と端板部７２のある箇所との距離を一定に保つ。側板側関節部１２２は、リンク部１２０の一端を端板部７２の端に接続する。リンク部１２０は、端板部７２に対する揺動が可能なように側板部７０の端に接続される。本実施形態の場合、その揺動の軸は、側板部７０が延びる方向に対して直交する。端板側関節部１２４は、端板接着部１２６を介して、リンク部１２０の他端を端板部７２に接続する。リンク部１２０は、端板部７２に対する揺動が可能なように端板部７２に接続される。本実施形態の場合、その揺動の軸は、次に述べられる３要件を満たす。その第１の要件は、図２に示される状況になった際における側板部７０のうち底板部７４の表面と同一高さとなる箇所を通るというものである。その第２の要件は、図２に示される状況になった際に底板部７４の表面に対する傾きがπ／４ラジアンであるという要件である。その第３の要件は、端板部７２に沿うという要件である。なお、側板側関節部１２２によるリンク部１２０の揺動の軸と端板側関節部１２４によるリンク部１２０の揺動の軸とについては、それらの位置および方向に関して誤差が含まれてもよい。なお、本実施形態にかかる外殻体２２は木製である。これにより、側板部７０と端板部７２と端板連結部７８との弾性変形その他の理由により、上述された揺動の軸に誤差が含まれていても、側板部７０の対が底板部７４に重なるとき底板部７４に沿って寝る状態と側板部７０の対が底板部７４から立つとき底板部７４の端で立つ状態とが可能となることがある。その結果、上述された揺動の軸は、それらの状態が可能となる範囲で誤差を含んでもよい。
【００３２】
図５は、本実施形態にかかる外殻体２２のうち連結脚部８０付近が示される図である。図５に基づいて、本実施形態にかかる連結脚部８０の構成が説明される。本実施形態の場合、連結脚部８０は、板状の側板脚部１４０の対と、板状の端板脚部１４２とを有している。
【００３３】
図２と図３と図５とから明らかなように、側板脚部１４０は側板部７０の側板本体１００に連なる。側板脚部１４０は側板部７０の側板本体１００に沿って延びる。図３から明らかなように、側板脚部１４０は側板部７０が底板部７４に重なる状態のときに底板部７４の縁から出ている。図２と図５とから明らかなように、側板脚部１４０は側板部７０が底板部７４から立ち端板部７２が底板部７４の端で立つときに側板部７０および端板部７２とは反対方向に立つ。
【００３４】
図２と図３と図５とから明らかなように、端板脚部１４２は端板部７２に連なる。端板脚部１４２は端板部７２に沿って延びる。図３から明らかなように、端板脚部１４２は、端板部７２が底板部７４に沿って寝る状態のときに側板部７０が重なる面の裏側において底板部７４に重なる。図２および図５から明らかなように、端板脚部１４２は、側板部７０が底板部７４から立ち端板部７２が底板部７４の端で立つときに側板部７０および端板部７２とは反対方向に立つ。本実施形態の場合、端板脚部１４２は、側板部７０が底板部７４から立ち端板部７２が底板部７４の端で立つときに側板脚部１４０に接する。
【００３５】
［製造方法の説明］
本実施形態にかかる食品包装用容器１０は、食品収納現場で外殻体２２に容器本体２０が収容されることにより製造される。本実施形態にかかる食品包装用容器１０は、外殻体２２の上から容器本体２０が落とし込まれ、容器本体２０の上方外縁４４が側板部７０の対および端板部７２の対に載せられることによって組み立てられる。外殻体２２の側板部７０の対および端板部７２の対に容器本体２０の上方外縁４４が載せられると、側板部７０の本体係合部１０２に容器本体２０の図示されない突条が係合する。これにより、食品包装用容器１０が組み立てられた後には容器本体２０と外殻体２２とが分離し難くなる。外殻体２２は、次に述べられる工程により製造される。まず、素材となる木製の板が図６において実線で示された形状に切り抜かれる。図６は、本実施形態にかかる外殻体２２のうち端板部７２以外の部分の展開図である。続いて、切り抜かれた板に対して折り目が形成される。それらの折り目は、図６において破線で示された通りに形成される。次に、その切り抜かれた板のうち側板部７０となる箇所が起こされる。その箇所が起こされると、それらの箇所の両端の折り目が形成されている箇所が折り曲げられる。それらの箇所が折り曲げられると、端板接着部１２６に端板部７２が接着される。これにより、本実施形態にかかる外殻体２２が完成する。容器本体２０の製造方法は周知なのでここではその詳細な説明は繰り返されない。
【００３６】
［使用方法の説明］
本実施形態にかかる食品包装用容器１０は、周知の食品包装用容器１０と同様に用いられる。本実施形態にかかる複数の食品包装用容器１０は、積み重ねることが可能である。積み重ねられる場合、本実施形態にかかるある食品包装用容器１０は、本実施形態にかかる他の食品包装用容器１０の上方外縁４４の上に載せられる。
【００３７】
［本実施形態にかかる食品包装用容器および外殻体の効果］
以下、 本実施形態にかかる食品包装用容器１０および外殻体２２の効果が述べられる。
【００３８】
本実施形態にかかる食品包装用容器１０において、側板部７０の対が底板部７４から立つとき端板部７２の対は底板部７４の端で立つ状態となる。端板部７２の対が底板部７４の端で立つ状態になると、外殻体２２に容器本体２０を収容することが可能となる。
【００３９】
本実施形態にかかる食品包装用容器１０において、側板部７０の対が底板部７４に重なるとき端板部７２の対は底板部７４に沿って寝る状態となる。その結果、外殻体２２に容器本体２０が収容されていない期間に外殻体２２が大きな空間を占めることは予防される。
【００４０】
本実施形態にかかる食品包装用容器１０において、側板部７０の対と端板部７２の対とが形成する構造体を底板部７４が補強する。これにより、その構造体の変形が予防される。また、側板部７０および端板部７２とは反対方向に立つ連結脚部８０は、他の食品包装用容器１０の上に載せられたとき底板部７４とその食品包装用容器１０に収容された物との間に間隙を形成する。側板部７０の対と端板部７２の対とが形成する構造体の変形が予防され、かつ、間隙が形成されるので、その物が変形するリスクが軽減される。
【００４１】
また、本実施形態にかかる食品包装用容器１０において、連結脚部８０のうち板状の側板脚部１４０が立つ。側板脚部１４０は側板部７０に沿って延びる。本実施形態にかかる食品包装用容器１０において、連結脚部８０のうち板状の端板脚部１４２が立つ。端板脚部１４２は端板部７２に沿って延びる。これらにより、これらの一方がない場合に比べて、底板部７４が撓み難くなる。底板部７４が撓み難いので、物の上に載せられたときその物と底板部７４とが接し難くなる。
【００４２】
また、本実施形態にかかる食品包装用容器１０において、容器本体２０が有する大きな突起４６と小さな突起４８とが、容器本体２０の対角線上に位置する隅部のうち上方外縁４４の内側に設けられる。これにより、本実施形態にかかる複数の食品包装用容器１０が積重ねられる際にそれらのうちのある食品包装用容器１０の大きな突起４６と小さな突起４８とがその上に積重ねられる他の食品包装用容器１０の端板脚部１４２と側板脚部１４０とに接することとなる。その大きな突起４６と小さな突起４８とがその端板脚部１４２と側板脚部１４０とに接すると、その端板脚部１４２と側板脚部１４０とはその大きな突起４６と小さな突起４８とに動きを制限されることとなる。動きが制限されるので、後者の食品包装用容器１０が前者の食品包装用容器１０の上からずり落ちる可能性が低くなる。その結果、積重ねられたときずり落ちるリスクは軽減される。
【００４３】
<変形例の説明>
今回開示された実施形態はすべての点で例示である。本発明の範囲は上述された実施形態に基づいて制限されるものではなく、本発明の趣旨を逸脱しない範囲で種々の設計変更をしてもよいのはもちろんである。
【００４４】
例えば、食品収納用凹部と上方外縁４４とを有する限り、容器本体２０の具体的な形態は特に限定されない。したがって、容器本体２０が有する食品収納用凹部は一箇所であってもよい。容器本体２０は上述された大きな突起４６と小さな突起４８とを有していなくてもよい。
【００４５】
また、容器本体２０の素材は特に限定されない。例えば、容器本体２０の素材は紙であってもよい。
【００４６】
また、連結脚部の構成は上述したものに限定されない。
【００４７】
本発明にかかる包装用容器の用途は食品包装用に限定されない。本発明にかかる包装用容器には任意の物が収容され得る。本発明にかかる外殻体が収容する容器本体には任意の物が収容され得る。
【符号の説明】
【００４８】
１０…食品包装用容器
２０…容器本体
２２…外殻体
４０…大きな食品収納用凹部
４２…小さな食品収納用凹部
４４…上方外縁
４６…大きな突起
４８…小さな突起
７０…側板部
７２…端板部
７４…底板部
７６…側板連結部
７８…端板連結部
８０…連結脚部
１００…側板本体
１０２…本体係合部
１２０…リンク部
１２２…側板側関節部
１２４…端板側関節部
１２６…端板接着部
１４０…側板脚部
１４２…端板脚部
【要約】
未使用時に大きな空間を占めることが予防され、物の上に載せられたときその物が変形するリスクが軽減される。
外殻体２２は、側板部７０の対と、端板部７２の対と、底板部７４と、側板連結部７６と、端板連結部７８と、連結脚部８０とを備える。側板連結部７６は、底板部７４に重なる状態と底板部７４から立つ状態とが可能となるように側板部７０の対を底板部７４に連結する。端板連結部７８は、側板部７０の対が底板部７４に重なるとき底板部７４に沿って寝る状態と側板部７０の対が底板部７４から立つとき底板部７４の端で立つ状態とが可能となるように端板部７２の対を側板部７０の対に連結する。連結脚部８０は、側板部７０が底板部７４から立ち端板部７２が底板部７４の端で立つときに側板部７０および端板部７２とは反対方向に立つように側板部７０および端板部７２の少なくとも一方に連結される。【図１】
0006887633.tif 000002
【図２】
0006887633.tif 000003
【図３】
0006887633.tif 000004
【図４】
0006887633.tif 000005
【図５】
0006887633.tif 000006
【図６】
0006887633.tif 000007